(57)【特許請求の範囲】
【請求項１】
屋外に架設された電線に鳥を寄り付かせないようにする鳥害防止具であって、
前記電線を被覆可能な被覆管と、
四角錐状に形成された幹部を有し、前記被覆管の軸方向に沿って所定の間隔を空けて、しかも前記幹部が前記被覆管から突出するように配置された少なくとも２つ以上の支持部材である両端支持部材と、
四角錐状に形成された幹部を有し、前記被覆管の軸方向に沿って幹部を貫通する貫通孔が形成されると共に、前記両端支持部材の間にて前記幹部が前記被覆管から突出するように配置された中間支持部材と、
前記両端支持部材間での前記被覆管の軸方向に沿った距離よりも長い線材からなる架設部材と
を備え、
前記架設部材は、
前記被覆管の軸方向に沿って移動可能となるように前記中間支持部材に形成された貫通孔に挿通されていると共に、隣接する２つの前記両端支持部材に支持されることで前記被覆管に架設され、
前記両端支持部材は、
前記被覆管の径方向に沿った異なる２つの位置に、前記被覆管の軸方向に沿って前記幹部を貫通する通過孔を有し、
２つの前記架設部材が前記被覆管の軸方向に沿って連続するように、前記架設部材それぞれの２つの端のうちの一方ずつが、１つの両端支持部材に設けられた前記通過孔それぞれに互いに対向する方向から挿通された上で、その挿通された端が固定されることにより、各架設部材を支持することを特徴とする鳥害防止具。
【請求項２】
前記両端支持部材及び前記中間支持部材は、
可撓性を有した材料により形成されていることを特徴とする請求項１に記載の鳥害防止具。
【発明の詳細な説明】
【０００１】
【発明の属する技術分野】
本発明は、電線を被覆する被覆管の外表面に取り付けることによって、鳥を電線に寄り付かせないようにする鳥害防止具に関する。
【０００２】
【従来の技術】
従来、この種の鳥害防止具としては、例えば、複数の針状体を有するもの（例えば、特開平１０−２８７９２６号公報等）や、棒状の複数の支持部材によって架設されたワイヤーを有するもの（例えば、特開２０００−１３４７７７号公報等）等、種々提案されている。
【０００３】
そして、これらの各種鳥害防止具では、複数の針状体やワイヤーが障害となって鳥が電線につかまりにくくなり、その結果として、鳥を電線に寄り付かせなくする効果が得られた。
【０００４】
【発明が解決しようとする課題】
しかしながら、このような従来の鳥害防止具では、本来ならば鳥を電線につかまらせないようにすると共に、鳥の目に鳥害防止具が複雑な形状に写らせることにより、対象物に近寄らせないようにするものであるが、鳥が幾度となく鳥害防止具に接近する（または、つかまろうとする）うちに、この鳥害防止具自体に目が慣れてしまい、結果として鳥害防止具としての効果が次第に低下してしまうといった不具合が生じている。
【０００５】
本発明は、こうした問題に鑑みなされたものであり、長期間に亘って持続する優れた鳥害防止効果を備えた鳥害防止具を提供することを目的とする。
【０００６】
【課題を解決するための手段及び発明の効果】
かかる目的を達成するためになされた請求項１記載の鳥害防止具は、屋外に架設された電線に鳥を寄り付かせないようにするためのものである。
その本発明の鳥害防止具は、前記電線を被覆可能な被覆管と、四角錐状に形成された幹部を有し、前記被覆管の軸方向に沿って所定の間隔を空けて、しかも前記幹部が前記被覆管から突出するように配置された少なくとも２つ以上の支持部材である両端支持部材と、四角錐状に形成された幹部を有し、前記被覆管の軸方向に沿って幹部を貫通する貫通孔が形成されると共に、前記両端支持部材の間にて前記幹部が前記被覆管から突出するように配置された中間支持部材と、隣接する２つの前記両端支持部材間での前記被覆管の軸方向に沿った距離よりも長い線材からなる架設部材とを備え、前記架設部材は、前記被覆管の軸方向に沿って移動可能となるように前記中間支持部材に形成された貫通孔に挿通されていると共に、隣接する２つの前記両端支持部材に支持され、前記両端支持部材は、前記被覆管の径方向に沿った異なる２つの位置に、前記被覆管の軸方向に沿って前記幹部を貫通する通過孔を有し、２つの前記架設部材が前記被覆管の軸方向に沿って連続するように、前記架設部材それぞれの２つの端のうちの一方ずつが、１つの両端支持部材に設けられた前記通過孔それぞれに互いに対向する方向から挿通された上で、その挿通された端が固定されることにより、各架設部材を支持することを特徴とする。
【０００７】
本発明の鳥害防止具によれば、鳥が止まるために架設部材を足で掴んだとしても、鳥の自重等により架設部材の架設位置が容易に変位して鳥が驚愕するだけでなく、安定して止まる（即ち、架設部材を掴む）ことができず、より高い鳥害防止効果が得られる。
【０００９】
また、鳥の自重に応じて架設部材の架設位置が変位することが重要であり、そのためには、架設部材や支持部材を上記した可撓性の材料にて形成し、これら架設部材や支持部材が撓むようにすればよいが、更に、撓んだ後で（例えば、鳥が逃げ去る等して鳥害防止具に何も止まっていない状態で）、撓む前の状態に復元するような材料にて、架設部材や支持部材を形成するようにしてもよい。この種の材料としては弾性を有する材料が挙げられる。尚、ここで「弾性」としては、バネ性や弾力性等を含む性質が挙げられる。そして、この種の材料としては、上記したＥＰＤＭ等の樹脂が挙げられる。
【００１０】
そして、架設部材は、被覆管の軸方向に沿って配置すればよいが、その場合には、側面側や上面側等を含め、どの面側に配置するようにしてもよい。本発明者等が種々検討したところ、上面側（即ち、上端側）に配置した場合に、最も鳥害防止効果が高いことが判明した。このため、被覆管の上面側に配置するのが最も好ましい。また、鳥が止まっていない状態にて、架設部材の位置を常に上面側に配置するには、例えば、被覆管の下端側におもりを取り付けるようにしてもよい。このようにすれば、被覆管の下端側が常に下を向くようになり、反対側に取り付けられた架設部材は、これに応じて、常に上（上面側）を向くようになる。
【００１９】
前記両端支持部材及び前記中間支持部材は、請求項２に記載のように、可撓性を有する材料により形成されていても良い。
なお、これらの支持部材を形成するための可撓性を有する材料としては、例えば、ナイロン等のポリアミド系樹脂、ＥＰＤＭ（エチレンプロピレンジェンモノマー）、ウレタンゴム、ＥＰＲ（エチレンプロピレン）、等のゴムが挙げられ、特に、ナイロン及びＥＰＤＭは天候等に対する耐久性に優れているため用いるのが好ましい。
【００２１】
【発明の実施の形態】
以下、本発明の鳥害防止具を具体化した参考例，実施例について図面と共に説明する。
（参考例）
図１は本発明が適用された鳥害防止具２の概略構成を表す斜視図である。
【００２２】
鳥害防止具２は、電線を被覆する被覆管４と、被覆管４の軸方向に沿って所定の間隔を空けて取り付けられる支持部材６と、支持部材６を介して被覆管４に取り付けられる長尺状の網材８とからなる。
この内、被覆管４は、軸方向に沿って切れ目を有する筒状部分１０と、筒状部分１０の切れ目の両側に突設された長板状の突部１２とを有し、全体が黒色に着色されたＰＥ（ポリエチレン）にて形成されている。また、筒状部分１０の両突部１２側の側壁には、後述するように支持部材６を取り付けるための孔部１４（図２（ｃ）中に記載）が所定の間隔を空けて複数穿設されている。
【００２３】
一方、図２は、支持部材６の概略構成を表し、（ａ）は側面図、（ｂ）は平面図、（ｃ）は被覆管４に取り付けられる支持部材６及び網材８の状態を示す縦断面図である。
支持部材６は、縦断面が「エ」の字状を呈するように形成され、上端側（図２（ａ）中上方）に配置される網材挟持部１６と、下端側に配置される管取付部１８と、網材挟持部１６と管取付部１８との間に配置される幹部２０とからなる。また、網材挟持部１６及び管取付部１８では、それぞれ長手方向の端部が丸みを帯びた長板状に形成されると共に、長手方向に直交する方向（幅方向）の長さが同じであり、これに対して、長手方向に沿った方向の長さが網材挟持部１６よりも管取付部１８の方が長い。
【００２４】
そして、この内、網材挟持部１６の一方の上端部側（図２（ａ）中左方）には、網材８を固定するための固定部材２２が設けられている。この固定部材２２は、図２（ａ）中上方よりそれぞれ配置された、円筒状の頂部２４と、略円錐状の固定部２６と、円筒状の連結部２８とからなる。そして、頂部２４は固定部２６の頂部に滑らかに移行するように形成され、しかも、固定部２６の裾部分の径は、円筒状の連結部２８の径よりも大きくなるように形成されている。更に、網材挟持部１６の上端部中央には、長手方向に直交するＵ字状の溝部１６ａが設けられている。
【００２５】
また、網材挟持部１６の他端部側には、孔部３０が穿設され、後述するように固定部材２２を挿通して固定することができるようになっている。
一方、管取付部１８の両下端部側（図２（ａ）中下方）には、支持部材６を被覆管４の孔部１４に挿通して固定するための固定部材２２が設けられている。
【００２６】
このように構成された支持部材６は、全体が黒色に着色されたＥＰＤＭにて形成されることにより、可撓性及び弾性を有している。
図１に戻り、網材８は、格子状に穿設された複数の孔部３２を有している。また、この網材８は、全体が黒色に着色されたＰＥにて形成され、若干ではあるが可撓性及び弾性を有している。
【００２７】
ここで、このように各部が構成された鳥害防止具２では、図２（ｃ）に示すように、網材８が有する複数の孔部３２の内の下端側の孔部３２に、支持部材６の網材挟持部１６の固定部材２２を、その頂部２４を摘む等して引っ張りつつ挿通し、更に、この網材挟持部１６の他端側（即ち、孔部３０が穿設された側）を折り曲げて、この固定部材２２を孔部３０に挿通し、固定部２６を外側に引き出せば、網材８は支持部材６に固定される。そして、固定した後には、固定部材２２の頂部２４は不要であるため、切除してもよい。
【００２８】
また、網材８が固定された状態の支持部材６では、管取付部１８の長手方向を被覆管４の外周方向に沿わせた状態で、この管取付部１８の下面（図２（ａ）中下方）を密着させ、更に、被覆管４の孔部１４に各固定部材２２を、その頂部２４を摘む等して被覆管４の内側に引っ張りつつ挿通して、固定部２６を内側に引き出せば、支持部材６は被覆管４に固定される。そして、固定した後には、固定部材２２の頂部２４を切除しておけば、被覆管４にて電線を被覆する際に邪魔にならない。
【００２９】
そして、本参考例では、図１に示すように、一つの網材８の両端部及び中央部の三カ所が支持部材６を介して被覆管４に固定され、これら一つの網材８と、三つの支持部材６とが一つの単位となって、被覆管４の軸方向に沿って複数取り付けられている。
【００３０】
ここで、鳥害防止具２にて電線を被覆するには、架設された電線を被覆管４の各突部１２の間を介して筒状部分１０内に収容した後に、各突部１２同士を密着させ、更に、所定の間隔を空けて接着すればよい。
このように構成された鳥害防止具２では、飛来した鳥が網材８に止まる際には、鳥の自重により、支持部材６が幹部２０等を介して撓んで（一部、網材８自体の撓みも含む）、図２（ｃ）中に示すように、網材８が左右いずれかに倒れるように動作する
そして、この動作により、鳥が驚愕して網材８から逃げ去るようになり、鳥を電線から追い払うことができる。しかも、このようにして追い払われた鳥は、経験した違和感や恐怖感を長期に亘って記憶するために、その長期に亘って、鳥が電線に近づくのを防止することできる。従って、本参考例の鳥害防止具２では、長期に亘って持続する高い鳥害防止効果が得られる。
【００３１】
また、支持部材６は、弾性を有しているため、撓んだ後には（即ち、鳥が逃げ去った後には）、元の形態（即ち、図２（ｃ）の状態）に復元する。このため、鳥害防止具２によって追い払われた経験のない別の鳥が飛来して止まろうとすることが考えられるが、その場合であっても、支持部材６が再度撓んで、網材８が変位することにより、上記の場合と同様の効果が得られる。
【００３２】
従って、本参考例の鳥害防止具２では、長期に亘って持続する高い鳥害防止効果が得られる。
（実施例）
次に、実施例について説明する。図３は、本発明が適用された鳥害防止具５０の概略構成を表す斜視図である。以下の説明では、参考例の鳥害防止具２と同様の構成部材については、同じ符号を付し、その詳細な説明は省略する。
【００３３】
鳥害防止具２は、電線を被覆する被覆管５２と、被覆管５２の軸方向に沿って所定の間隔を空けて取り付けられる支持部材５４と、支持部材５４を介して被覆管５２に取り付けられる線材５６とからなる。
この内、被覆管５２は、参考例中にて説明した被覆管４とは、全体的な外観等は同様に形成されるものの、孔部１４は穿設されていない。また、被覆管５２では、筒状部分１０の上端部には、後述するように支持部材５４を取り付けるための孔部５８（図５（ａ）中に記載）が所定の間隔を空けて複数穿設されている。
【００３４】
一方、図４は、支持部材５４の概略構成を表し、（ａ）は正面図、（ｂ）は側面図、（ｃ）は下方からみた底面図である。
支持部材５４は、下端（図４（ａ）中下方）に配置され、円筒の一部を切り取った形状の管取付部６０と、管取付部６０の上部に配置される略四角錐状の幹部６２とからなる。
【００３５】
この内、幹部６２は、図４（ａ）に示すように、その側面が鉛直方向に平行であり、また、図４（ｂ）に示すように、その正面及び裏面（図４（ｂ）中右方）には、それぞれ下方に向かって下る斜面を有している。また、幹部６２の上端側には、正面から裏面に向かって貫通した孔部６４が、縦方向に所定の間隔を空けて二カ所穿設されている。そして、下端側には、側面を貫通する孔部６６が一カ所穿設されている。
【００３６】
一方、管取付部６０は、円筒の軸方向に相当する側（長手方向）の長さが、これに直交する方向の長さよりも長くなるように形成され、しかも、この長手方向の長さは、幹部６２の裾部分の長さとほぼ同じとなるように形成されている。また、管取付部６０には、後述するブラインドリベット部材６８を用いて支持部材５４を被覆管５２に固定するために、下面から、幹部６２の孔部６６内に貫通する孔部７０が一カ所穿設されている。
【００３７】
このように構成された支持部材５４は、全体が黒色に着色されたＡＢＳ（アクリロニトリル−ブタジエン−スチレン）にて形成されている。
そして、図１（或いは、図５（ｂ））に示すように、線材５６は、ナイロン等のポリアミド系樹脂からなる透明なテグスからなり、可撓性及び弾性を有している。
【００３８】
ここで、このように各部が構成された鳥害防止具５０では、図５（ａ）に示すように、支持部材５４の管取付部６０の下面を、被覆管５２の外壁に沿って密着させ、更に、ブラインドリベット部材６８を介して支持部材５４は被覆管５２に固定される。
【００３９】
ブラインドリベット部材６８は、リベット部材７２と、リベット部材７２に内嵌するチューブ部材７４とからなる。また、リベット部材７２は、円柱状の幹部７６と、幹部７６の一端（図５（ａ）中上方）に配置され、幹部７６よりも拡径で略円盤状の頭部７８とからなる。一方、チューブ部材７４は、筒状部８０と、筒状部８０の一端（図５（ａ）中下方）に配置され、筒状部８０よりも拡径で環状の留め部８２とからなる。
【００４０】
そして、リベット部材７２は、ＰＣ（ポリカーボネート）にて形成され、他方チューブ部材７４は、ナイロンから形成される。
さて、このように構成されたブラインドリベット部材６８を介して支持部材５４を固定するには、まず、被覆管５２に密着した状態の支持部材５４の孔部６６に、被覆管５２の内側からチューブ部材７４を、その留め部８２が被覆管５２の内壁に当接するようにして、孔部５８に挿通する。次に、リベット部材７２を、その頭部７８が孔部６６内に配置されるように、チューブ部材７４の管内に挿通する。尚、孔部６６は、このように、リベット部材７２の頭部７８が孔部６６の内部に配置されたかどうかを確認するために用いる、いわば「窓」といえる。
【００４１】
以上のようにして、支持部材５４を被覆管５２に固定する。
一方、線材５６は、図３及び図５（ｂ）中に示すように、上記した支持部材５４を三つ用いることにより、被覆管５２に取り付けられる。即ち、三つの支持部材５４それぞれにおける上端側の孔部６４を介して線材５６を挿通し、線材５６の両端部側を成形して玉止め５６ａを形成し、支持部材５４の孔部６４を挿通できないようにする。
【００４２】
また、このとき、線材５６は、張りつめないように、弛んだ（或いは、緩んだ）状態となるようにして支持部材５４に取り付ける（架設する）ことが重要である。
そして、本実施例では、図３及び図５（ｂ）中に示すように、一つの線材５６と、三つの支持部材５４とが一つの単位となって、被覆管５２の軸方向に沿って複数取り付けられている。
【００４３】
尚、図５（ｂ）中に示すように、隣り合う線材５６同士を、一つの支持部材５４を介して取り付けるようにしてもよい。その場合には、例えば、支持部材５４が有する二つの孔部６４それぞれを各線材５６によって使い分けることにより、隣り合う線材５６の取付位置を異ならせればよい。
【００４４】
また、鳥害防止具５０にて電線を被覆するには、上記した鳥害防止具２の場合と同様の手順を踏めばよい。
このように構成された鳥害防止具５０では、線材５６を弛ませた状態で取り付けているため、飛来した鳥が線材５６に止まる際に線材５６を足で掴んだとしても、鳥の自重等により線材５６が下方に落ち込むように変位することによって、鳥が驚愕すると共に、安定して止まることができず、その結果、鳥は電線（鳥害防止具５０を含む電線）に止まることができない。
【００４５】
また、線材５６を単に挿通しただけの支持部材５４を介して、一方の線材５６を、あたかも張りつめた状態で支持し、他方の線材５６を弛んだ状態で支持しておいてもよい。
即ち、鳥としては、張りつめた線材５６は電線等のように止まりやすいものであるといった記憶があるため、弛んだ方よりも張りつめた方を好んで止まろうとする。
【００４６】
ところが、張りつめた方側の線材５６に止まる場合には、この弛んだ方側の線材を張りつめるようにして引き込みつつ、鳥の自重に応じた分だけ落ち込む（変位する）ようになる。
つまり、当初張りつめた方側に鳥が止まる場合には、線材５６が大きく落ち込むため、その分、鳥があたかも落下するような格好となり、その分、鳥の驚愕の度合いがより大きくなる。従って、鳥は恐怖感を感じ、再び近づくのをより一層防止でき、長期に亘って一層持続する高い鳥害防止効果が得られる。
【００４７】
また、当初張りつめた状態で支持されていた側の線材５６の架設位置が、鳥の自重に応じて落ち込んだ結果、今度は弛んだ状態で支持されることになる。そして、当初弛んだ状態で支持されていた側の線材５６は、反対側の線材５６が弛んだことにより、今度はあたかも張りつめた状態で支持されることになる。そして、新たに張りつめた状態で支持された線材５６には、別の鳥が止まろうとするが、上記したように、落ち込むように変位するため、上記と同様の効果が得られる。つまり、被覆管５２の軸方向に沿って移動可能な支持部材５４を介して、両側の線材５６部分を、それぞれ交互に張りつめた状態，弛んだ状態で保持することができる。
【００４８】
また、線材５６としては、透明のテグスが用いられているため、鳥の目に写りにくくすることができる。その場合には、飛来した鳥は、線材５６ではなく、被覆管５２側に止まろうとするが、止まる直前に線材５６に足が引っかかったりして驚愕し、その結果、逃げ去るようになる。また、逃げ去った鳥は恐怖感を感じることにより、再び近づくのを防止することができる。
【００４９】
従って、本実施例の鳥害防止具５０では、より長期に亘って持続する高い鳥害防止効果が得られる。
ここで、本発明者等が、上記した第１実施例の鳥害防止具２及び、第２実施例の鳥害防止具５０を用いて電線を被覆して、実際にその効果を確認したところ、種々の小型の鳥に対して有効であることが判明した。特に、最近になって鳥害の原因となる鳥として問題視されつつある椋鳥（ムク鳥）に対して、優れた鳥害効果が発揮されることが判明した。
【００５０】
以上、本発明の参考例及び実施例について説明したが、本発明は上記参考例及び実施例に限定されるものではなく、種々の態様を採ることができる。
（１）鳥害防止具２の網材８を黒色に着色するのに限定されず、透明または半透明となるようにしてもよい。このようにすれば、網材８を認識することが非常に困難となり、しかも、万が一鳥が被覆管４に止まっても、網材８が鳥の体に触れるものの、鳥には形状を認識できないため、網材８自体に恐れをなし、再度電線（鳥害防止具２）に近づくのが非常に苦痛で困難なものになるのである。そのため、鳥害防止効果を尚一層高めることができ、しかもその効果を尚一層持続させることができる。
【００５１】
（２）網材８を可撓性の材料にて形成するようにしてもよい。その場合には、形成材料として、例えば、ナイロン等のポリアミド系樹脂を用いることができる。このようにすることにより、網材８の変位量をより大きくすることができ、鳥害防止効果を一層高めることができる。
【００５２】
また、網材８をこのように可撓性の材料にて形成した場合には、必ずしも支持部材６に可撓性を持たせる必要はなく、硬質の形成材料にて支持部材６を形成するようにしてもよい。その場合には、例えば、鳥害防止具５０の支持部材５４と同様の形成材料（ＡＢＳ）を用いることができる。この場合でも、網材８が撓むことにより、網材８の架設位置を変位させることができるため、高い鳥害防止効果を得ることができる。
【００５３】
（３）鳥害防止具５０の支持部材５４を可撓性の材料にて形成してもよい。その場合には、例えば、鳥害防止具２の支持部材６と同様の形成材料（ＥＰＤＭ）を用いることができる。このようにすることにより、線材５６の変位量をより大きくすることができ、鳥害防止効果を一層高めることができる。
【００５４】
また、支持部材５４をこのように可撓性の材料にて形成した場合には、必ずしも線材５６を弛んだ状態で支持する必要がなく、張りつめた状態で支持するようにしてもよい。この場合でも、支持部材５４が撓むことにより、線材５６の架設位置を変位させることができるため、高い鳥害防止効果を得ることができる。
【００５５】
（４）鳥害防止具２，５０では、専用の被覆管４，５２を設けたが、必ずしもこのような専用の被覆管を設ける必要はない。
例えば、支持部材６と網材８とから、或いは、支持部材５４と線材５６とから鳥害防止具を構成し、このように構成された鳥害防止具を、電線を被覆した既存の被覆管等に対して後から取り付けるようにしてもよい。そして、取り付ける際には、この被覆管に対して、支持部材６，５４を取り付けるための孔部１４，３２を穿設すればよい。
【００５６】
このようにすれば、既存の被覆管を無駄にすることなく鳥害防止具の一部として活用（リサイクル）することができる。
また、このような鳥害防止具を、電線に限らず、建物の手すりや、塀の上等の建造物等に取り付けるものとして構成してもよく、そうすれば、上記した各実施例の場合と同様の効果を得ることができる。
【図面の簡単な説明】
【図１】  参考例の鳥害防止具２の概略構成を表す斜視図である。
【図２】  鳥害防止具２の構成部材の各部を説明するための説明図である。
【図３】  実施例の鳥害防止具５０の概略構成を表す斜視図である。
【図４】  支持部材５４の概略構成を表す説明図である。
【図５】  鳥害防止具５０の構成部材の各部を説明するための説明図である説明図である。
【符号の説明】
２，５０…鳥害防止具、４，５２…被覆管、６，５４…支持部材、８…網材（架設部材）、５６…線材（架設部材）、６４…孔部。
【図１】
0004428828.tif 000002
【図２】
0004428828.tif 000003
【図３】
0004428828.tif 000004
【図４】
0004428828.tif 000005
【図５】
0004428828.tif 000006